(57)【要約】      （修正有）【課題】医療用等に用いられる洗浄用の不織布をスムースに、又形を崩すことなく取り出す織布取り出し装置を提供する。【解決手段】上面に長方形の開口部を有する枠体３であって枠体の上面よりも上方に延長された側板を有し、この上面とこれらの側板からなる枠凹部に不織布入り箱体を緩挿し、これら側板の上方への延長部の一面に長方形の不織布取り出し口を開口し、さらに搬送ベルト表面にベルト進行方向に倒して載設された毛有するベルトコンベアとベルトコンベアを一定時間動作させる制御回路を枠体に収装し、このベルトコンベアにより不織布１２を搬送することにより取り出す。【選択図】図７
2009091151.tif 000002
【特許請求の範囲】
【請求項１】
上面に長方形の開口部を有する底面が開口した枠体と
前記枠体の底面を塞ぐ底板と
前記枠体の側板を前記枠体の上面よりも上方に延長し、
前記枠体の上面とともに構成された箱体取り付け部と
前記箱体取り付け部に緩挿された、不織布入り箱体と
前記側板の延長された一面に構成された、不織布を取り出す為の取り出し開口部と
前記枠体に収装されたベルトコンベアと
前記ベルトコンベアの搬送ベルト表面に、搬送ベルト進行方向に倒して載設された毛とからなる不織布取り出し装置。
【請求項２】
前記ベルトコンベアを底板に取り付けるボルトと前記ボルトによって貫通され底板とベルトコンベアの間に載置されたコイルバネとからなる、請求項１記載の不織布取り出し装置。
【請求項３】
前記不織布入り箱体は、前記取り出し開口面に対向する開口面を有し、
複数枚の不織布を高さ方向に積み上げて収納し、両側面の下端の一部を内側に折り曲げてある、請求項１記載の不織布取り出し装置。
【発明の詳細な説明】
【技術分野】
【０００１】箱体に収納された不織布を片手で簡単に取り出すことができる不織布取り出し装置に関する。
【背景技術】
【０００２】従来、病院等で手の洗浄用の不織布を取り出す供給装置（例えば特許文献１）を使用していた。
【特許文献１】  特開２００７−１２５２０４
【発明の開示】
【発明が解決しようとする課題】
【０００３】従来の供給装置では不織布の搬送にローラーを使用していたため、不織布との接触面積が小さく、不織布を搬送するためにはローラー面に突起等を設けて、不織布とローラーの摩擦を大きくする必要があり、不織布の搬送完了後に不織布を引っ張って取り出す際に、ローラーの突起が不織布の繊維に引っかかり、スムースに取り出すことができなかった。又、取り出そうとして、強く引っ張ると、不織布の形状が崩れる不具合があった。更に、不織布の交換を行う際、手で不織布に触れてしまうために衛生上、問題があった。本発明は、箱体に収納された不織布を片手でスムースに又衛生的に取り出すことができる不織布取り出し装置を実現することを目的とするものである。
【課題を解決するための手段】
【０００４】上記目的を解決するために、本発明は上面に長方形の開口部を有する枠体であって枠体の上面よりも上方に延長された側板を有し、この上面とこれらの側板からなる枠凹部に不織布入り箱体を緩挿し、これら側板の上方への延長部の一面に長方形の不織布取り出し口を開口し、さらに搬送ベルト表面にベルト進行方向に倒して載設された毛を有するベルトコンベアとベルトコンベアを一定時間動作させる制御回路を枠体に収装し、この制御回路を動作させる動作スイッチを設けたものである。【０００５】上記の課題解決手段による作用は次の通りである。すなわち片手により動作スイッチを操作してベルトコンベアを一定時間動作させ、不織布を１枚づつ搬送ベルトによりベルト移動方向へ一定距離移動させることにより、不織布の一部を取り出し開口部から飛び出させ、飛び出した不織布を片手で掴んで取り出す。
【発明の効果】
【０００６】上述したように本発明の不織布取り出し装置はベルト表面にベルト進行方向に倒して載設された毛を有するベルトコンベアによって、箱体に収納された不織布を搬送するため、不織布とベルトの接触面積が大きく、又、毛と不織布がしっかりと絡み合うため、搬送時には十分な搬送力を有し、不織布を安定して搬送することができる。搬送終了後に不織布を引っ張って取り出す際には、引っ張り方向に対して、毛が倒れているため、毛と不織布が殆ど絡むことがなく、不織布の形を崩すことなく、スムースに取り出すことができる。【０００７】又、従来の装置と比較して低廉に提供することができる。
【発明を実施するための最良の形態】
【０００８】本発明の実施の形態を図１〜図７に基づいて説明する。【０００９】  図において１は枠体で全体として直方体状で、上面には長方形の穴が開口されており、４つの側板は上方に延長されて、上面より高くなっている。これら側板の延長部の一枚に細長い開口１１を有している。上面の対向面は側板に結合固定される２の底板となっている。【００１０】箱体３は下面が開口され、両側面の下端の一部４を内側に９０度折り曲げられ内部には不織布１２が積み重ねられており、枠体１の上面と枠体の側板の上方への延長部からなる枠凹部に緩挿されている。又上記の細長い開口１１に対向する箱体の面（前面）も開口されている。【００１１】５はベルトコンベアで底板２にコイルバネを介してボルト９で固定されている。
６は搬送ベルトでベルト表面にベルト進行方向に倒して載設された毛を有する。
毛を倒して載設するのは、毛を搬送ベルトに静電植毛したのち、加熱等の加工により行う。又、毛を載設後、ベルトの先端と後端を接合して一繋がりのベルトコンベア用の搬送ベルトを得ることができる。
このベルトコンベアは、９のボルトで１０のコイルバネを貫通させて、２の底板に仮に取り付けた後、底板と側板を結合し、その後、９のボルトを回転させることにより、ベルトの高さ、及び傾きを調整して、不織布１２の移動がスムースに行われるようにする。又８は反射型の赤外線センサーで底板に取り付けられている。【００１２】以下、上記構成の動作を説明する。手をかざすことにより、動作スイッチであるところの８の反射型赤外線センサーが反応して制御回路（図示せず）により、７のモータが回転することにより、５のベルトコンベアが一定時間動作し、６の搬送ベルトを一定時間、１１の取出し開口部方向へ送る。このベルトの動作に伴い、３の箱体に収納された不織布１２と６の搬送ベルトの毛とが絡み合い不織布１２を一定距離移動させ、不織布の一部を１１の取り出し開口部より飛び出させる。飛び出した不織布１２を片手で掴み、不織布１２をスムースに取り出すことができる。
【図面の簡単な説明】
【００１３】
【図１】本発明の実施形態を示す不織布取り出し装置の枠体の斜め前方より見た外観図
【図２】同不織布取り出し装置の底面図
【図３】不織布取り出し装置の斜め前方より見た外観図
【図４】不織布取り出し装置の取り出し開口部の拡大図
【図５】底板に取り付けられた駆動ブロックを右側から見た外観図
【図６】底板に取り付けられた駆動ブロックを斜め後方から見た外観図
【図７】不織布取り出し装置の断面図
【符号の説明】
１  枠体
２  底板
３  不織布入り箱体
４  不織布入り箱体の下端折り曲げ部
５  ベルトコンベア
６  搬送ベルト
７  モータ
８  赤外線センサー
９  ボルト
１０  コイルバネ
１１  取り出し開口部
１２  不織布
【図１】
2009091151.tif 000003
【図２】
2009091151.tif 000004
【図３】
2009091151.tif 000005
【図４】
2009091151.tif 000006
【図５】
2009091151.tif 000007
【図６】
2009091151.tif 000008
【図７】
2009091151.tif 000009